(57)【要約】【課題】  ワイシャツ或いはワイシャツと同様な前立てを有するシャツを、ネクタイを使用することなく上から１個或いは２個程度のボタンを外した状態で着用する場合に、前立てが見苦しくなるのを防止できるワイシャツ等の前立て形状維持具の提供。【解決手段】  ワイシャツ２或いはワイシャツと同様な前立てを有するシャツを、ネクタイを使用することなく上から１個或いは２個程度のボタン５ａ，５ｂを外した状態で着用する場合に前立て４ａ，４ｂの形状を維持するためのワイシャツ等の前立て形状維持具１ａ，１ｂであって、弾力性のある芯地６を備え、ワイシャツ等の前立て４ａ，４ｂに沿って取付け可能であり、使用状態で外側へ広がろうとする前立て４ａ，４ｂに対して内側に向かって弾力を及ぼすようにした。【選択図】      図１
2007092208.tif 000002
【特許請求の範囲】
【請求項１】
ワイシャツ（２）或いはワイシャツと同様な前立てを有するシャツを、ネクタイを使用することなく上から１個或いは２個程度のボタン（５ａ，５ｂ）を外した状態で着用する場合に前立て（４ａ，４ｂ）の形状を維持するためのワイシャツ等の前立て形状維持具（１ａ，１ｂ）であって、弾力性のある芯地（６）を備え、ワイシャツ等の前立て（４ａ，４ｂ）に沿って取付け可能であり、使用状態で外側へ広がろうとする前立て（４ａ，４ｂ）に対して内側に向かって弾力を及ぼすようにしたことを特徴とするワイシャツ等の前立て形状維持具。
【請求項２】
ワイシャツ等（２）に既存のボタン（５ａ，５ｂ，５ｃ）とボタンホール（３ａ，３ｂ）を利用してワイシャツ等の前立て（４ａ，４ｂ）に取付けることを特徴とする請求項１記載のワイシャツ等の前立て形状維持具。
【請求項３】
弾力性のある芯地（６）をワイシャツ等（２）の生地と異なる色の生地若しくは模様付きの生地よりなる装飾布（７）で被ってあることを特徴とする請求項１又は２記載のワイシャツ等の前立て形状維持具。
【発明の詳細な説明】
【技術分野】
【０００１】
本発明は、ワイシャツ或いはワイシャツと同様な前立てを有するシャツを、ネクタイを使用することなく上から１個或いは２個程度のボタンを外した状態で着用する場合に、前立てが見苦しくなるのを防止するためのワイシャツ等の前立て形状維持具に関する。
【背景技術】
【０００２】
ワイシャツは、図７に示すように、左前身頃と右前身頃の端部に形成した帯状の前立て４ａ，４ｂを体の前側で打ち合わせ、一方の前立て４ａに設けたボタンホール３ａ，３ｂ，…に、他方の前立て４ｂに設けたボタン５ａ，５ｂ，…を係止して着用する。さらにワイシャツ２は、左前身頃の上部と右前身頃の上部に台襟１３が縫い付けてあり、普通は台襟の端部同士を第１ボタン５ａで止めた上で、台襟の周りにネクタイを締めている。ワイシャツを、ネクタイを使用することなく上から１個或いは２個程度のボタン５ａ，５ｂを外した状態で着用すると、図７に示すように、襟９０が外側に広がるのに伴って前立て４ａ，４ｂも外側に広がり、前立て４ａ，４ｂが曲がったりねじれたりして非常に見苦しくなる場合があった。
【０００３】
特許文献１には、弾力性の強い金属又は合成樹脂より成り、ワイシャツの襟内部に挿入する襟部形状維持具が記載されている。しかし、かかる襟部形状維持具を使用したとしても、前立てが見苦しくなるのを防止できないし、襟部形状維持具が首周りを圧迫するおそれもある。
【特許文献１】特開２００２−３６３８０１号公報
【発明の開示】
【発明が解決しようとする課題】
【０００４】
本発明は、以上に述べた実情に鑑み、ワイシャツ或いはワイシャツと同様な前立てを有するシャツを、ネクタイを使用することなく上から１個或いは２個程度のボタンを外した状態で着用する場合に、前立てが見苦しくなるのを防止できるワイシャツ等の前立て形状維持具を提供するものである。
【課題を解決するための手段】
【０００５】
上記の課題を達成するために請求項１記載の発明は、ワイシャツ或いはワイシャツと同様な前立てを有するシャツを、ネクタイを使用することなく上から１個或いは２個程度のボタンを外した状態で着用する場合に前立ての形状を維持するためのワイシャツ等の前立て形状維持具であって、弾力性のある芯地を備え、ワイシャツ等の前立てに沿って取付け可能であり、使用状態で外側へ広がろうとする前立てに対して内側に向かって弾力を及ぼすようにしたことを特徴とする。
【０００６】
さらに請求項２記載の発明によるワイシャツ等の前立て形状維持具は、ワイシャツ等に既存のボタンとボタンホールを利用してワイシャツ等の前立てに取付けることを特徴とする。
【０００７】
さらに請求項３記載の発明によるワイシャツ等の前立て形状維持具は、弾力性のある芯地をワイシャツ等の生地と異なる色の生地若しくは模様付きの生地よりなる装飾布で被ってあることを特徴とする。
【発明の効果】
【０００８】
請求項１記載の発明によるワイシャツ等の前立て形状維持具を使用すれば、ワイシャツ等を、ネクタイを使用することなく上から１個或いは２個程度のボタンを外した状態で着用する場合に、前立て形状維持具が外側へ広がろうとする前立てに対して内側に向かって弾力を及ぼすことから、前立てが曲がったりねじれたりして見苦しくなるのを確実に防止できる。
【０００９】
さらに請求項２記載の発明によるワイシャツ等の前立て形状維持具は、ワイシャツ等に既存のボタンとボタンホールを用いて前立てに取付けるようにしたので、前立てへの取付け、取り外しが容易に行える。
【００１０】
さらに請求項３記載の発明によるワイシャツ等の前立て形状維持具は、弾力性のある芯地をワイシャツ等の生地と異なる色の生地若しくは模様付きの生地よりなる装飾布で被ってあるので、ネクタイをしている雰囲気になる。
【発明を実施するための最良の形態】
【００１１】
以下、本発明の実施形態を図面に基づいて説明する。図１〜図３は、本発明のワイシャツ等の前立て形状維持具の一実施形態を示しており、図１は前立て形状維持具をワイシャツの前立てに取付けた状態を示す正面図、図２は前立て形状維持具をワイシャツの前立てに取付ける前の状態を示す正面図である。本前立て形状維持具は、図１と図２に示すように、ワイシャツ２のボタンホール３ａ，３ｂ…が設けてある方の前立て（前立てボタンホール側）４ａに沿って取付ける前立てボタンホール側用前立て形状維持具１ａと、ワイシャツ２のボタン５ａ，５ｂ，５ｃ…が取付けてある方の前立て（前立てボタン側）４ｂに沿って取付ける前立てボタン側用前立て形状維持具１ｂとで構成される。各前立て形状維持具１ａ，１ｂは、ネクタイのような帯状の形となっており、その長さはワイシャツ２の第１ボタン５ａから第３ボタン５ｃの少し下までの長さとしている。各前立て形状維持具１ａ，１ｂの幅は、ワイシャツ２の前立て４ａ，４ｂと略同じか、若干広くしている。
【００１２】
前立てボタンホール側用前立て形状維持具１ａは、図３に示すように、薄いプラスチックの板より成る弾力性のある芯地６のまわりに、ワイシャツ２の生地と異なった色の生地若しくは模様付きの生地よりなる装飾布７を縫着や接着して形成してある。さらに前立てボタンホール側用前立て形状維持具１ａは、上端部裏面側に第１ボタン８が縫い付けてあり、上下方向中間部裏面側に第２ボタン９が縫い付けてあり、下部に第３ボタンホール１０を設けてある。前立てボタンホール側用前立て形状維持具１ａの下端部は、ネクタイと同様に先端が尖った三角形状となっている。
前立てボタン側用前立て形状維持具１ｂも、前立てボタンホール側用前立て形状維持具１ａと同様に形成してあり、第１ボタン８と第２ボタン９の替わりに、第１ボタンホール１１と第２ボタンホール１２が形成されている点のみが異なるものである。
なお、各前立て形状維持具１ａ，１ｂの下端部の形状は、図示のような三角形状に限らず、角タイのように下端部を水平にカットしたものや、カットタイのように下端部を斜めにカットしたものであってもよい。
【００１３】
各前立て形状維持具１ａ，１ｂの前立て４ａ，４ｂへの取付け方を説明すると、前立てボタン側用前立て形状維持具１ｂは、ワイシャツ２の前立てボタン側４ｂの表面にあてがい、ワイシャツ２の台襟１３の端部に取付けてある第１ボタン５ａを前立てボタン側用前立て形状維持具１ｂの第１ボタンホール１１に係止すると共に、ワイシャツの第２ボタン５ｂと第３ボタン５ｃを、前立てボタン側用前立て形状維持具１ｂの第２ボタンホール１２と第３ボタンホール１４に係止することによって取付ける。前立てボタンホール側用前立て形状維持具１ａは、ワイシャツ２の前立てボタンホール側４ａの表面にあてがい、前立てボタンホール側用前立て形状維持具１ａの第１ボタン８と第２ボタン９を、ワイシャツの台襟１３端部に設けてある第１ボタンホール３ａと前立てボタンホール側４ａに設けてある第２ボタンホール３ｂにそれぞれ係止すると共に、前立てボタンホール側用前立て形状維持具１ａの第３ボタンホール１０にワイシャツ２の第３ボタン５ｃを係止することによって取付ける。
【００１４】
このように前立て形状維持具１ａ，１ｂをワイシャツ２の前立て４ａ，４ｂに取付けると、弾力性のある芯地６が外側に広がろうとする前立て４ａ，４ｂに対して内側に向かって弾力を及ぼすため、前立て４ａ，４ｂに張りが与えられて前立て４ａ，４ｂが垂れにくくなると共に、前立て４ａ，４ｂが曲がったりねじれたりして見苦しくなるのを防止できる。また、ワイシャツ２の襟元が前立て形状維持具１ａ，１ｂによってすぼめられるため、だらしない印象を見る人に与えることを防止できる。尚且つ本前立て形状維持具１ａ，１ｂは、ワイシャツ２の生地と異なった色の生地若しくは模様付きの生地よりなる装飾布７で芯地６を被ってあるので、ネクタイをしているような雰囲気になる。
【００１５】
図４と図５は、本発明の前立て形状維持具１ａ，１ｂの第二実施形態を示しており、図４は前立て形状維持具１ａ，１ｂをワイシャツ２の前立て４ａ，４ｂに取付けた状態を示す正面図、図５は前立て形状維持具１ａ，１ｂをワイシャツ２の前立て４ａ，４ｂに取付ける前の状態を示す正面図である。本前立て形状維持具も、第一実施形態のものと同様に前立てボタンホール側用前立て形状維持具１ａと前立てボタン側用前立て形状維持具１ｂとで構成される。前立てボタン側用前立て形状維持具１ｂは、第一実施形態のものと全く同じであり、前立てボタンホール側用前立て形状維持具１ａは、第１ボタン８と第２ボタン９の替わりに、第１ボタンホール１５と第２ボタンホール１６を設けている。
前立てボタン側用前立て形状維持具１ｂは、第一実施形態のものと同じ要領でワイシャツ２の前立てボタン側４ｂに取付けられる。前立てボタンホール側用前立て形状維持具１ａは、ワイシャツ２の前立てボタンホール側４ａの裏面にあてがい、前立てボタンホール側用前立て形状維持具の第１ボタンホール１５と第２ボタンホール１６を、ワイシャツ２の第１ボタンホール３ａと第２ボタンホール３ｂに、それぞれカフスボタン等の装飾ボタン１７ａ，１７ｂで止めている。さらに、前立てボタンホール側用前立て形状維持具１ａの第３ボタンホール１０に、ワイシャツ２の第３ボタン５ｃを係止している。
なお図４は、ワイシャツ２の第２ボタン５ｂまでを外す場合の使用状態を示しているが、ワイシャツ２の第２ボタン５ｂを、ワイシャツ２の第２ボタンホール３ｂと前立てボタンホール側用前立て形状維持具１ａの第２ボタンホール１６に係止することで、ワイシャツ２の第１ボタン５ａだけを外す状態で使用することも可能である。
【００１６】
本発明は、以上に述べた実施形態に限定されない。装飾布は必ずしも必要ではなく、ワイシャツ等の生地の色と同じ色の芯地のみで形成したものであってもよい。芯地には、周知の接着芯やトップヒューズ芯を用いることができる。前立て形状維持具の前立てへの取付け方については、ワイシャツ等の既存のボタンとボタンホールを利用して取付けるのではなく、クリップ状の取付具を使用して取り付けたり、ホックや面ファスナー等を用いて取付けるようにしてもよい。また、周知の接着芯やトップヒューズ芯よりなる前立て形状維持具を、ワイシャツ等の前立ての表面や裏面に縫着や接着により取付けたり、前立ての内部に埋め込んだ状態で縫着や接着により固定して、ワイシャツ等と一体型としてもよい。
前立て形状維持具の形態については、幅や長さは自由に変えることができ、例えば図６に示すように、ワイシャツの第４ボタン５ｄの下方までのびる長さとすることができる。また、前立てボタンホール側用前立て形状維持具と前立てボタン側用前立て形状維持具に分割することなく一本のものにして、ネクタイのように首の後に回らせた上で、前立てに取り付けるようにすることもできる。
ワイシャツ等の前立ては、シャツの生地の表側に立体的に前立てを設けた表前立て（プラケットフロント）、生地の裏側に前立てを設けた裏前立て（フレンチフロント）の何れであってもよい。また、前立ての打ち合わせが左右逆のもの（前立てボタンホール側が右前身頃、前立てボタン側が左前身頃に設けてあるもの）にも対応できる。
【図面の簡単な説明】
【００１７】
【図１】本発明の第一実施形態に係る前立て形状維持具の、ワイシャツの前立てに取付けた状態を示す正面図である。
【図２】本発明の第一実施形態に係る前立て形状維持具の、ワイシャツの前立てに取付ける前の状態の正面図である。
【図３】（ａ）は、前立てボタンホール側に取付ける前立て形状維持具（前立てボタンホール側用前立て形状維持具）の正面図、（ｂ）は同側面図、（ｃ）はＡ−Ａ断面図である。
【図４】本発明の第二実施形態に係る前立て形状維持具の、ワイシャツの前立てに取付けた状態を示す正面図である。
【図５】本発明の第二実施形態に係る前立て形状維持具の、ワイシャツの前立てに取付ける前の状態の正面図である。
【図６】本発明の他の実施形態を示す使用状態での正面図である。
【図７】ワイシャツを、ネクタイを使用することなく上から２個までのボタンを外して着用した場合の襟元部分の正面図である。
【符号の説明】
【００１８】
１ａ  前立てボタンホール側用前立て形状維持具（前立て形状維持具）
１ｂ  前立てボタン側用前立て形状維持具（前立て形状維持具）
２  ワイシャツ
３ａ，３ｂ  ワイシャツのボタンホール
４ａ  前立てボタンホール側
４ｂ  前立てボタン側
５ａ，５ｂ，５ｃ，５ｄ  ワイシャツのボタン
６  芯地
７  装飾布
８  第１ボタン
９  第２ボタン
１０  第３ボタンホール
１１  第１ボタンホール
１２  第２ボタンホール
１３  台襟
１４  第３ボタンホール
１５  第１ボタンホール
１６  第２ボタンホール
１７ａ，１７ｂ  装飾ボタン
９０  襟
【図１】
2007092208.tif 000003
【図２】
2007092208.tif 000004
【図３】
2007092208.tif 000005
【図４】
2007092208.tif 000006
【図５】
2007092208.tif 000007
【図６】
2007092208.tif 000008
【図７】
2007092208.tif 000009